(57)【要約】      （修正有）【課題】見栄えのよい装飾用リングを提供する。【解決手段】装飾用リングは、リングを形成する２つのリング素片１１，１２と、２つのリング素片の一端部同士をリングの軸と平行な軸を中心軸として回転可能に連結する連結ピン１３と、一端部同士が連結された２つのリング素片を互いに近づく方向に付勢するばね部材と、２つのリング素片の一端部の内部にそれぞれリング素片に沿って連通して形成された空間部Ｓとを備える。ばね部材は、両端部が連結ピン１３を挟んだ位置の空間部Ｓの内壁を押圧可能に空間部に収容されている。【選択図】図６
2015231439.tif 000002
【特許請求の範囲】
【請求項１】
リングを形成する２つのリング素片と、前記２つのリング素片の一端部同士を前記リングの軸と平行な軸を中心軸として回転可能に連結する連結ピンと、一端部同士が連結された前記２つのリング素片を互いに近づく方向に付勢するばね部材と、前記２つのリング素片の前記一端部の内部にそれぞれリング素片に沿って連通して形成された空間部とを備え、
前記ばね部材は、両端部が前記連結ピンを挟んだ位置の前記空間部の内壁を押圧可能に前記空間部に収容されている装飾用リング。
【請求項２】
前記ばね部材は、コイル状に巻き回したコイル部から延出する両端部をそれぞれ前記空間部の内壁に当接可能に形成され、前記連結ピンは前記コイル部に遊嵌されている請求項１に記載の装飾用リング。
【請求項３】
前記２つのリング素片は、一方のリング素片の前記一端部にスリットが形成され、該スリットを挟んだ両側が前記連結ピンを支持する支持部となり、他方のリング素片の前記一端部には、前記スリットに挿入されて前記連結ピンに遊嵌される突部が形成されてなり、
前記突部は、先端部が前記一方のリング素片の前記空間部に位置され、前記連結部を介して前記２つのリング素片が回動したときに、前記空間部の内壁と当接して回動角度を規制可能に形成されている請求項１又は２に記載の装飾用リング。
【請求項４】
前記２つのリング素片は、他端部同士が係合可能に形成される請求項１乃至３のいずれかに記載の装飾用リング。
【請求項５】
前記２つのリング素片は、他端部がそれぞれ環状に形成され、これらの他端部が互いに緩やかに連結されてなる請求項１乃至３のいずれかに記載の装飾用リング。
【発明の詳細な説明】
【技術分野】
【０００１】
本発明は、装飾用リングに関する。
【背景技術】
【０００２】
一般に、指輪を購入する際には、装着したい指の最も太い部分（例えば第２関節）を基準として指輪の号数が決定される。
【０００３】
ところが、指の太さは、例えば、朝よりも夕方に浮腫む傾向があるため、指輪の取り外しに時間がかかることがある。また、リューマチ等を患っている人は指の関節の自由が利かず、指輪が第２関節等を通過するときに苦痛を伴うことがある。
【０００４】
そこで、指輪を２つの円弧状の第１弧状部分と第２弧状部分とで構成し、これらの一端部同士を回動可能に連結するとともに、第１弧状部の他端部に第２弧状部の内周面に沿って形成された案内溝に沿ってスライド可能な第３弧状部を連結し、この第３弧状部を案内溝に挿入した状態で、弾性係止部材を案内溝に押し込むことで、第３弧状部を案内溝内で係止する指輪が提案されている（特許文献１参照）。
【０００５】
これによれば、案内溝に挿入される第３弧状部の長さによって指輪の内径を自在に調整できるため、楽に指輪を取り外すことができる。しかし、指輪の装着時において、第３弧状部や弾性係止部材が指輪から露出するため、見栄えが悪くなる。
【０００６】
これに対し、２つの円弧状のリング素片でリングを構成し、これらのリング素片の一端部同士を回動可能に連結し、一方のリング素片の一端部の内周面に沿って取り付けられた板ばねの先端部を他方のリング素片の一端部の内周面に押し付けることにより、２つのリング素片の他端部同士を互いに近づける方向に付勢する装身具が提案されている（特許文献２参照。）。
【先行技術文献】
【特許文献】
【０００７】
【特許文献１】特開２０００−２７０９１１号公報
【特許文献２】特開２００４−２８３４３７号公報
【発明の概要】
【発明が解決しようとする課題】
【０００８】
特許文献２の構造を指輪に適用した場合、装着時にばねが見えなくなるため美観の問題は生じない。しかし、指から取り外された状態では、指輪の内周面からばねが露出するため、見栄えが悪くなる。また、例えば、金属製のばねが長時間皮膚と接触すると、金属アレルギー等の問題が懸念される。
【０００９】
本発明は、見栄えのよい装飾用リングを提供することを課題とする。
【課題を解決するための手段】
【００１０】
上記課題を解決するため、本発明の装飾用リングは、リングを形成する２つのリング素片と、２つのリング素片の一端部同士をリングの軸と平行な軸を中心軸として回転可能に連結する連結ピンと、一端部同士が連結された２つのリング素片を互いに近づく方向に付勢するばね部材と、２つのリング素片の一端部の内部にそれぞれリング素片に沿って連通して形成された空間部とを備え、ばね部材は、両端部が連結ピンを挟んだ位置の空間部の内壁を押圧可能に空間部に収容されていることを特徴とする。
【００１１】
これによれば、空間部に収容されたばね部材を各リング素片の壁で包囲することができるから、ばね部材がリングから一切露出することがなく、見栄えを良くすることができる。また、ばね部材は、空間部の内部から連結ピンを挟んで位置する各リング素片の内壁を押圧しているから、各リング素片を互いに近づく方向に付勢することができる。これにより、リングの内径を自在に変化させることが可能になる。
【００１２】
この場合において、ばね部材には、板ばねを用いることもできるが、例えば、コイル状に巻き回したコイル部から延出する両端部をそれぞれ空間部の内壁に当接可能に形成し、コイル部を連結ピンに遊嵌して用いることができる。これによれば、ばね部材が連結ピンに支持された状態で空間部に収容されるから、ばね部材の位置ずれを防ぐことができ、継続的に所定のばね力を発生させることができる。また、ばね部材のコイル部に連結ピンを通すことで、組付け性を高めることができる。
【００１３】
また、２つのリング素片は、一方のリング素片の一端部にスリットが形成され、このスリットを挟んだ両側が連結ピンを支持する支持部となり、他方のリング素片の一端部には、スリットに挿入されて連結ピンに遊嵌される突部が形成されてなり、突部は、先端部が一方のリング素片の空間部に位置され、連結部を介して２つのリング素片が回動したときに、空間部の内壁と当接して回動角度を規制可能に形成されているものとすることができる。
【００１４】
これによれば、先端部が空間部の内壁と当接することで２つのリング素片の他端部同士の動作範囲を制限することができるから、リング素片の過剰な回動による破損を防ぐとともに、他端部同士の位置合わせを容易に行うことができる。
【００１５】
また、２つのリング素片は、他端部同士が係合可能に形成されているものとすることができる。
【００１６】
これによれば、リング素片の他端部同士を互いに支持することができるから、他端部同士の位置ずれに伴う装飾用リングの変形を防ぐことができる。
【００１７】
また、２つのリング素片は、他端部がそれぞれ環状に形成され、これらの他端部が互いに緩やかに連結されてなるものとすることができる。
【００１８】
これによれば、リング素片の他端部同士が当接する分割面を目立たなくすることができるから、見栄えを良くすることができる。
【発明の効果】
【００１９】
本発明によれば、ばねの露出を防いで見栄えの良い装飾用リングを実現することができる。
【図面の簡単な説明】
【００２０】
【図１】本発明が適用される指輪の正面図である。
【図２】本発明が適用される指輪の分解斜視図である。
【図３】本発明が適用される指輪を構成するリング素片の外観斜視図である。
【図４】本発明が適用される指輪を構成するばね部材の外観斜視図である。
【図５】図１の指輪の開環状態を示す断面図である。
【図６】図１の指輪の閉環状態を示す断面図である。
【図７】ばね部材の他の実施例を示す断面図である。
【図８】リング素片の係合構造の他の実施例を示す拡大図である。
【図９】リング素片の他の実施例を示す外観斜視図である。
【図１０】リング素片の他の実施例を示す外観斜視図である。
【発明を実施するための形態】
【００２１】
以下、本発明が適用される装飾用リングの一実施例を図面に従って説明する。以下の実施例では、装飾用リングを指輪に適用する例を説明するが、本発明は、ネックレスの連結用リングやイアリングといった指輪以外の装飾用リングにも適用することができる。なお、以下の実施例では、宝石等の装飾を図から省略して説明する。
【実施例１】
【００２２】
図１は、本発明が適用される指輪の側面図の一実施例であり、図２は、図１の指輪の分解斜視図である。この指輪１０は、円環状のリングを形成するリング素片１１，１２と、リング素片１１，１２の一端部同士を連結する円柱状の連結ピン１３と、連結ピン１３で連結されたリング素片１１，１２を互いに近づく方向に付勢するばね部材１４とを備えている。
【００２３】
リング素片１１，１２は、金属製の材料を円弧状に加工して形成され、断面が矩形状になっている。このリング素片１１，１２は、リングの軸と平行な軸を中心軸とする金属製の連結ピン１３を介して一端部同士が回転可能に連結されている。ばね部材１４は、外部から見えないようにリング素片１１，１２の内部に収容されている。なお、リング素片１１，１２や連結部材１３は、金属以外の各種材料で形成することもできる。
【００２４】
図３に示すように、リング素片１１の一端部には、リング素片１１に沿って延びるスリット１５が形成される。スリット１５を挟んだ両側には、一対の板状の支持部１６，１７が設けられる。支持部１６，１７は、リングの軸方向に互いに間隔をあけて略平行に突出して設けられる。一対の支持部１６，１７は、端面が円弧状に形成され、それぞれ連結ピン１３が通る貫通孔１８，１９が設けられる。貫通孔１８，１９は、同一の穴径に形成される。
【００２５】
リング素片１１には、スリット１５を臨むように支持部１６，１７間に開口２０が設けられ、開口２０の奥には、リング素片１１に沿って延びる第１空間部２１が形成される。第１空間部２１は、支持部１６，１７の対向する内壁を延長させた２つの面と、これらの２つの面とそれぞれ連なる２つの側壁２２，２３とに囲まれて断面が矩形状に形成される。側壁２２，２３には、それぞれ、開口２０に向かって外側（裏面側）に末広がりに傾斜する案内面２４が設けられる。
【００２６】
一方、リング素片１２の一端部には、一対の板状の突部２５，２６が、リングの軸方向に互いに間隔をあけて略平行に突出して設けられる。一対の突部２５，２６は、端面が円弧状に形成され、それぞれ連結ピン１３が通る貫通孔２７，２８と、円弧状の端面から先方に台形状に突出する先端部２９，３０とが設けられる。貫通孔２７，２８は、同一の穴径に形成される。
【００２７】
突部２５，２６は、それぞれリング素片１２の両端面を凹ませて形成される平面状の段差面３１，３２が、互いに対向する側面と反対側の側面を成している。段差面３１，３２間の距離は、支持部１６，１７の対向する内壁間の距離よりも僅かに小さく設定されている。これらの段差面３１，３２は、リング素片１１の支持部１６，１７の端面に対応させて円弧状に形成され、リング素片１１，１２の連結時において、支持部１６，１７が位置するようになっている。また、突部２５，２６は、リング素片１１，１２の連結時において、支持部１６，１７間に組み込まれ、このとき、突部２５，２６から突出する先端部２９，３０が、第１空間部２１に収容されるようになっている。
【００２８】
リング素片１２には、突部２５，２６間を臨むように開口３３が形成され、開口３３の奥には、リング素片１２に沿って延びる第２空間部３４が設けられる。第２空間部３４は、突部２５，２６の対向する内壁間に沿って設けられ、リング素片１２の壁に囲まれて断面が矩形状に形成される。
【００２９】
貫通孔１８，１９の穴径は、連結ピン１３を保持できる所定の大きさに形成され、貫通孔２７，２８の穴径は、貫通孔１８，１９の穴径よりも大きく設定されている。このため、連結ピン１３は貫通孔２７，２８に遊嵌されるようになっている。
【００３０】
また、連結ピン１３には、ばね部材１４が回転可能に支持されている。図４に示すように、ばね部材１４は、金属製の棒材をコイル状に巻き回したコイル部３５から両端部３６，３７をそれぞれ直状に延出させて形成される。コイル部３５は、連結ピン１３の外径よりも大きな内径を有して形成され、連結ピン１３がコイル部３５に遊嵌されるようになっている。両端部３６，３７は、コイル部３５の接線方向に延びてＶ字状に形成される。
【００３１】
一方、リング素片１１，１２の他端部は、図３に示すように、互いに係合可能に形成される。リング素片１１の他端部には、内周面に沿って周方向に延出する断面矩形状の突起部３８が設けられ、リング素片１２の他端部には、突起部３５が係合する凹部３９が設けられる。
【００３２】
次に、本実施例の指輪１０の組立て手順の一例を説明する。
【００３３】
まず、リング素片１２を治具等でチャックして固定する。そして、リング素片１２の突部２５，２６間にばね部材１４を組み付ける。図２に示すように、ばね部材１４は、両端部３６，３７をリングの内側に向けて貫通孔２７，２８間にコイル部３５が位置するように配置される。このとき、ばね部材１４は、両端部３６，３７のうち、一方が第２空間部３４に収容され、他方が突部２５，２６間から突出している（以下、端部３６が第２空間部３４に収容されるものとする）。
【００３４】
続いて、リング素片１１，１２の一端部同士を近づけて、突部２５，２６をそれぞれ支持部１６，１７間に差し込み、ばね部材１４の端部３７を第１空間部２１に挿入する。そして、支持部１６，１７を段差面３１，３２に沿って起立する円弧状の壁面４０と対峙させて配置する。このとき、貫通孔１８，１９と貫通孔２７，２８は、略同軸上に配置される。
【００３５】
次に、連結ピン１３を貫通孔１９に差し込み、貫通孔２８、ばね部材１４（コイル部３５）、貫通孔２７、貫通孔１８の順に通していく。これにより、リング素片１２の一端部は、リング素片１１の一端部に固定された連結ピン１３によって回動可能に支持され、リング素片１１，１２が互いに連結される。また、コイル部３５に連結ピン１３が通されることで、ばね部材１５は、連結ピン１３に支持されるとともに、両端部３６，３７がそれぞれ第２空間部３４と第１空間部２１の内壁と当接して押し広げられた状態となる。
【００３６】
なお、連結ピン１３の両端部は、レーザ溶接やろう付等で貫通孔１８，１９の内周面と接合することで、連結ピン１３の固定力を高めるとともに、貫通孔１８，１９との境界を目立たなくすることができる。
【００３７】
次に、本実施例の指輪１０の動作を説明する。
【００３８】
図５は、リング素片１１，１２の他端部同士の係合前（開環時）の断面図であり、図６は、他端部同士の係合後（閉環時）の断面図である。図５に示すように、リング素片１１，１２の一端部同士が連結ピン１３で連結されると、第１空間部２１と第２空間部３４とが連通されて、円弧状の空間部Ｓが形成される。
【００３９】
ばね部材１４は、空間部Ｓにおいて、連結ピン１３に支持された状態で、連結ピン１３を挟んだ位置の空間部Ｓの内壁、つまり、第２空間部３４の内周側の内壁４１を端部３６が押圧し、第１空間部２１の内周側の内壁４２を端部３７が押圧する。これにより、ばね部材１４は、連結ピン１３を支点として、リング素片１１，１２をリングが閉じる方向（他端部同士が近づく方向）に付勢する。
【００４０】
図６に示すように、リング素片１１，１２は、ばね部材１４に付勢されることで、突起部３８と凹部３９とが自然と係合されて閉環する。そして、他端部同士が係合された状態においても、ばね部材１３は、リング素片１１，１２を付勢し続ける。これにより、指輪１０の閉環状態が維持される。
【００４１】
また、図５に示すように、第１空間部２１に収容された先端部２９，３０は、リング素片１１，１２の開環時において、それぞれ第１空間部２１の内壁と非接触であるが、図６に示すように、閉環時には外周側の内壁４３と当接する。一方、図５の状態からリング素片１１，１２を互いに離れる方向に回動させると、先端部２９，３０が第１空間部２１の内周側の内壁４２と当接する。
【００４２】
このように、先端部２９，３０は、リング素片１１，１２の回動に伴って第１空間部２１内を移動し、所定の回動角度になるといずれかの内壁４２，４３と当接する。このため、リング素片１１，１２は、先端部２９，３０によって回動範囲が制限されるから、動作に安定感をもたらすことができ、しかも、リング素片１１，１２の過剰な回動による破損等を防ぐことができる。
【００４３】
特に、本実施例では、図６に示すように、リング素片１１，１２の他端部同士が係合されるタイミングで先端部２９，３０が第１空間部２１の内壁４３と当接されるから、他端部同士の位置合わせを容易に行うことができる。また、他端部同士の接触を緩和することができるから、リング素片１１，１２の損傷を防ぐことができる。
【００４４】
本実施例では、ばね部材１３が空間部Ｓに収容された状態で外部に一切露出しないため、指輪１０の見栄えを良くすることができる。また、支持部１６，１７は、それぞれ段差面３１，３２の壁面４０に沿って回動可能に配置されるから、段差面３１，３２の凹みを解消することができる。このため、指輪１０の外観上の美観を損なうこともない。
【００４５】
また、本実施例では、ばね部材１４が第１空間部２１と第２空間部３４との間に配置された連結ピン１３に回動可能に支持されている。このため、リング素片１１，１２の回動に関わらず、ばね部材１３を空間部Ｓの所定位置に所定の姿勢で保持することができ、ばね部材１４の位置ずれを防いで、所定のばね力を継続的に発生させることができる。また、ばね部材のコイル部に連結ピンを通すことで、組付け性を高めることができる。
【００４６】
本実施例の指輪１０は、指に装着された状態でリング素片１１，１２の少なくとも一方を外側に引っ張るだけで簡単にリングの内径を大きくすることができるから、取り付けや取り外しの作業を簡単に行うことができる。
【００４７】
なお、本実施例の指輪１０は、例えば、リング素片１１，１２の外周面において、他端部同士の連結部分の近傍や、外周面に沿って宝石等の装飾品を取り付けることができる。特に、連結部分の近傍に装飾品を取り付けることにより、分割面を目立たなくなり、見栄えを良くすることができる。
【実施例２】
【００４８】
図７は、実施例２のリング素片１１，１２の連結構造を示す拡大図である。本実施例では、実施例１のばね部材１４に代えて、板ばね５０を用いている点が実施例１と相違し、その他の構成は、実施例１と同じである。
【００４９】
板ばね５０は、断面Ｖ字状に所定の角度で予め折り曲げ形成されるが、平面状に形成されたものを折り曲げて組み付けることもできる。この板ばね５０は、空間部Ｓに全体が収容され、端部５１が第２空間部３４の内壁４１を押圧するとともに、端部５２が第１空間部２１の内壁４２を押圧し、更に、中央部分の折り曲げ部５３は、第２空間部３４の外周側の内壁５４を押圧して内壁５４と連結ピン１３との間に配置される。これにより、板ばね５０は、折り曲げ部５３を支点として、２つのリング素片１１，１２をそれぞれリングが閉じる方向に付勢する。
【００５０】
本実施例によれば、コイル状に形成されたばね部材１４よりも大きなばね力でリング素片１１，１２を付勢することができるため、リング素片１１，１２の他端部同士の係合状態をより安定に維持することができる。
【実施例３】
【００５１】
図８は、実施例３のリング素片１１，１２の他端部同士の係合構造を示す拡大図である。本実施例では、実施例１の突起部３８に代えて円錐台状の突起部６０が設けられるとともに、実施例１の凹部３９に代えて突起部６０が係合可能な円形の窪み６１が設けられている点で、実施例１と相違し、その他の構成は、実施例１と同じである。
【００５２】
このように柱状に形成された突起部６０を窪み６１に係合させることで、突起部６０のガタつきを防ぐことができ、リング素片１１，１２の係合状態をより安定させることができる。
【実施例４】
【００５３】
図９は、本実施例の指輪７０の外観を示す斜視図である。本実施例では、実施例１のようにリング素片１１，１２の他端部同士を突き当てて保持するのではなく、鎖状に連結させて保持している点で、実施例１と相違し、その他の構成は、実施例１と同じである。
【００５４】
リング素片７１，７２は、それぞれ他端側が円環状の連結部７３，７４を有して形成され、互いに環の軸方向を異ならせて鎖状に連結可能になっている。連結部７４は、環の軸がリングの略内側に向いて形成され、連結部７３は、リングの軸と略平行な軸が環の軸となるように捩じられて形成される。連結部７４には、連結部７３を通すための切欠き部７５が設けられる。切欠き部７５は、連結部７４の略中央部に設けられ、互いに離間する２つの端面を有して形成される。
【００５５】
切欠き部７５を介して連結部７３が組み付けられた連結部７４は、プレス加工等で切欠き部７５の両端面を当接させる。当接された両端面は、周知の方法で接合することができる。
【００５６】
図１０は、切欠き部７５の両端面が互いに当接して連結部７３，７４が連結された状態を示す。連結部７３は、連結部７４と緩やかに連結され、連結部７４の両端面が当接する境界面７６に沿って配置される。このため、切欠き部７５の境界面７６は、連結部７３に隠れて目立たなくなるから、見栄えがよくなる。
【００５７】
また、連結部７３，７４は、リング素片７１，７２の回動が停止する位置、つまり、図６のように、先端部２９，３０がそれぞれ第１空間部２１の内壁４３と当接する状態で、互いに非接触となっている。このため、リング素片７１，７２を連結させたまま、互いに離れる方向に回動させることができる。
【００５８】
なお、本実施例の指輪は、例えば、連結部７３の外周面に沿って宝石等の装飾品を取り付けることができる。これにより、境界面７６が目立たなくなり、見栄えを良くすることができる。
【００５９】
以上、本発明の実施例を図面により詳述してきたが、上記の各実施例は本発明の例示にしか過ぎないものであり、本発明は上記実施例の構成にのみ限定されるものではない。本発明の要旨を逸脱しない範囲の設計の変形等があっても、本発明に含まれることは勿論である。
【００６０】
例えば、実施例１では、ばね部材１４の端部３６が、第２空間部３４の内壁４１を付勢し、端部３７が、第１空間部２１の内壁４２を付勢しているが、これらの端部が付勢する内壁面は、これに限られるものではなく、リング素片１１，１２を互いに近づく方向に付勢することが可能であれば、各空間部の形状に応じて適宜設定することができる。
【００６１】
また、実施例１では、リング素片１１，１２の回転防止機構としてリング素片１２の一端部に先端部２９，３０を設けているが、装飾用リングの用途によっては、先端部２９，３０を省略することもできる。
【００６２】
また、実施例２では、板ばね５０のばね力を利用してリング素片１１．１２を付勢しているが、空間部Ｓに全体が収容され、かつ、両端部がそれぞれ第１空間部２１と第２空間部３４の内壁に当接可能な弾性部材であれば、実施例１のばね部材１４や板ばね５０に限られるものではなく、様々な形状の弾性部材を使用することができる。
【符号の説明】
【００６３】
１０  指輪
１１，１２  リング素片
１３  連結ピン
１４  ばね部材
１５  スリット
１６，１７  支持部
１８，１９  貫通孔
２１  第１空間部
２５，２６  突部
２７，２８  貫通孔
２９，３０  先端部
３４  第２空間部
３５  コイル部
３６，３７  両端部
４１，４２，４３  内壁
【図１】
2015231439.tif 000003
【図２】
2015231439.tif 000004
【図３】
2015231439.tif 000005
【図４】
2015231439.tif 000006
【図５】
2015231439.tif 000007
【図６】
2015231439.tif 000008
【図７】
2015231439.tif 000009
【図８】
2015231439.tif 000010
【図９】
2015231439.tif 000011
【図１０】
2015231439.tif 000012